【手続補正書】
【提出日】平成17年9月21日(2005.9.21)
【手続補正１】
【補正対象書類名】明細書
【補正対象項目名】発明の名称
【補正方法】変更
【補正の内容】
【発明の名称】画像処理装置及び方法
【手続補正２】
【補正対象書類名】明細書
【補正対象項目名】特許請求の範囲
【補正方法】変更
【補正の内容】
【特許請求の範囲】
【請求項１】  受信したデジタル放送に含まれる表示コンテンツを表示するための画像表示装置と、受信したデジタル放送に含まれる印刷コンテンツを印刷するための外部印刷装置と接続可能な画像処理装置であって、
表示コンテンツを含むデジタル放送を受信するための受信手段と、
前記外部印刷装置の状態を検知する検知手段と、
前記受信したデジタル放送中に印刷コンテンツが含まれるときには、前記検知手段による検知の結果に応じて、前記画像表示装置に表示させるための前記受信した表示コンテンツを編集する画像表示処理手段とを有することを特徴とする画像処理装置。
【請求項２】  前記画像表示処理手段は、前記受信したデジタル放送中に印刷コンテンツが含まれるときには、前記検知結果の表示情報を前記受信した表示コンテンツに追加して前記画像表示装置に表示させることを特徴とする請求項１記載の画像処理装置。
【請求項３】  前記検知手段は、外部に印刷装置が接続されておりかつその印刷装置の電源が入っているか否かを検知し、
前記画像表示処理手段は、前記受信したデジタル放送中に印刷コンテンツが含まれるときには、前記検知の結果に応じて前記受信した表示コンテンツを編集して前記画像表示装置に表示させることを特徴とする請求項１記載の画像処理装置。
【請求項４】  前記画像表示処理手段は、印刷装置の電源が入っていない又は印刷装置が接続されていないと検知したならば前記受信した表示コンテンツを編集して前記画像表示装置に表示させることを特徴とする請求項３記載の画像処理装置。
【請求項５】  前記画像表示処理手段は、印刷装置の電源が入っていないと検知したならば前記受信した表示コンテンツから印刷コンテンツを削除して前記画像表示装置に表示させることを特徴とする請求項３記載の画像処理装置。
【請求項６】  前記画像表示処理手段は、印刷装置が接続されていないと検知したならば前記受信した表示コンテンツから印刷コンテンツを削除して前記画像表示装置に表示させることを特徴とする請求項３記載の画像処理装置。
【請求項７】  前記画像表示処理手段は、印刷装置の電源が入っていないと検知したならばその検知結果の表示情報を前記受信した表示コンテンツに追加して前記画像表示装置に表示させることを特徴とする請求項３記載の画像処理装置。
【請求項８】  前記画像表示処理手段は、印刷装置が接続されていないと検知したならばその検知結果の表示情報を前記受信した表示コンテンツに追加して前記画像表示装置に表示させることを特徴とする請求項３記載の画像処理装置。
【請求項９】  受信したデジタル放送に含まれる表示コンテンツを表示するための画像表示装置と、受信したデジタル放送に含まれる印刷コンテンツを印刷するための外部印刷装置と接続可能な画像処理装置の画像処理方法であって、
表示コンテンツを含むデジタル放送を受信するための受信ステップと、
前記外部印刷装置の状態を検知する検知ステップと、
前記受信したデジタル放送中に印刷コンテンツが含まれるときには、前記検知の結果に応じて、前記画像表示装置に表示させるための前記受信した表示コンテンツを編集する画像表示処理ステップとを有することを特徴とする画像処理方法。
【請求項１０】  前記画像表示処理ステップは、前記受信したデジタル放送中に印刷コンテンツが含まれるときには、前記検知結果の表示情報を前記受信した表示コンテンツに追加して前記画像表示装置に表示させることを特徴とする請求項９記載の画像処理方法。
【請求項１１】  前記検知ステップは、外部に印刷装置が接続されておりかつその印刷装置の電源が入っているか否かを検知し、
前記画像表示処理ステップは、前記受信したデジタル放送中に印刷コンテンツが含まれるときには、前記検知の結果に応じて前記受信した表示コンテンツを編集して前記画像表示装置に表示させることを特徴とする請求項９記載の画像処理方法。
【請求項１２】  前記画像表示処理ステップは、印刷装置の電源が入っていない又は印刷装置が接続されていないと検知したならば前記受信した表示コンテンツを編集して前記画像表示装置に表示させることを特徴とする請求項１１記載の画像処理方法。
【請求項１３】  前記画像表示処理ステップは、印刷装置の電源が入っていないと検知したならば前記受信した表示コンテンツから印刷コンテンツを削除して前記画像表示装置に表示させることを特徴とする請求項１１記載の画像処理方法。
【請求項１４】  前記画像表示処理ステップは、印刷装置が接続されていないと検知したならば前記受信した表示コンテンツから印刷コンテンツを削除して前記画像表示装置に表示させることを特徴とする請求項１１記載の画像処理方法。
【請求項１５】  前記画像表示処理ステップは、印刷装置の電源が入っていないと検知したならばその検知結果の表示情報を前記受信した表示コンテンツに追加して前記画像表示装置に表示させることを特徴とする請求項１１記載の画像処理方法。
【請求項１６】  前記画像表示処理ステップは、印刷装置が接続されていないと検知したならばその検知結果の表示情報を前記受信した表示コンテンツに追加して前記画像表示装置に表示させることを特徴とする請求項１１記載の画像処理方法。
【手続補正３】
【補正対象書類名】明細書
【補正対象項目名】０００１
【補正方法】変更
【補正の内容】
【０００１】
【発明の属する技術分野】
本発明は、データ放送等の表示コンテンツの画像処理装置及び方法に関するものである。
【手続補正４】
【補正対象書類名】明細書
【補正対象項目名】０００５
【補正方法】変更
【補正の内容】
【０００５】
本発明は、ＳＴＢがＴＶモニターに対し画像データを出力するだけでなく、外部印刷装置の状態により印刷用情報の表示については表示の可否を含めて表示制御する画像処理装置及び方法の提供を目的とする。
【手続補正５】
【補正対象書類名】明細書
【補正対象項目名】０００６
【補正方法】変更
【補正の内容】
【０００６】
【課題を解決するための手段】
本発明の画像処理装置は、受信したデジタル放送に含まれる表示コンテンツを表示するための画像表示装置と、受信したデジタル放送に含まれる印刷コンテンツを印刷するための外部印刷装置と接続可能な画像処理装置であって、表示コンテンツを含むデジタル放送を受信するための受信手段と、前記外部印刷装置の状態を検知する検知手段と、前記受信したデジタル放送中に印刷コンテンツが含まれるときには、前記検知手段による検知の結果に応じて、前記画像表示装置に表示させるための前記受信した表示コンテンツを編集する画像表示処理手段とを有することを特徴とする。
また、本発明の画像処理方法は、受信したデジタル放送に含まれる表示コンテンツを表示するための画像表示装置と、受信したデジタル放送に含まれる印刷コンテンツを印刷するための外部印刷装置と接続可能な画像処理装置の画像処理方法であって、表示コンテンツを含むデジタル放送を受信するための受信ステップと、前記外部印刷装置の状態を検知する検知ステップと、前記受信したデジタル放送中に印刷コンテンツが含まれるときには、前記検知の結果に応じて、前記画像表示装置に表示させるための前記受信した表示コンテンツを編集する画像表示処理ステップとを有することを特徴とする。